Podtech/llm-jp-corpus-v4-ja_patent huggingface dataset:
(57)【要約】【課題】柔軟性を持つと共に耐久性も良く、且つ発泡樹脂層はバネに破壊されなくなり、受ける外力は全てのバネに平均に分散する座当の構造を提供する。【解決手段】本考案の座当の構造は、硬質底板と、少なくとも一つの保護用袋と、複数のバネと、発泡樹脂層と、表層とから構成された座当の構造において、前記保護用袋は、バネを収容する袋であり、前記バネによって膨張になり、前記保護用袋とバネとの上には発泡樹脂層が設置してあり、前記保護用袋とバネとの下には硬質底板が設置してあり、全体の周面には表層が被覆してある。【選択図】図１
0003112874.tif 000002
【実用新案登録請求の範囲】
【請求項１】
硬質底板と、少なくとも一つの保護用袋と、複数のバネと、発泡樹脂層と、表層とから構成された座当の構造において、
前記保護用袋は、バネを収容する袋であり、前記バネによって膨張になり、前記保護用袋とバネとの上には発泡樹脂層が設置してあり、前記保護用袋とバネとの下には硬質底板が設置してあり、全体の周面には表層が被覆してあることを特徴とする、
座当の構造。
【請求項２】
前記発泡樹脂層の底部には、保護用袋とバネとを収容するための収容空間が設けてあることを特徴とする、請求項１に記載の座当の構造。
【請求項３】
前記保護用袋は、多数の独立な袋から構成され、バネを収容することを特徴とする、請求項１に記載の座当の構造。
【請求項４】
保護用袋の代わりに、布材質又は皮材質で作製された保護層を直接にバネの上に設けても良いことを特徴とする、請求項１に記載の座当の構造。
【考案の詳細な説明】
【技術分野】
【０００１】
本考案は、座当の構造に係り、特に、長期間に使用されても落ち込まなくて硬化しない座当の構造に関するものである。
【背景技術】
【０００２】
目下、椅子の座当の内部は発泡樹脂に充填されるが、使用者が椅子に座るときに全部の体重は座当の中央に集中するので、長期間に使用されると発泡樹脂が弾性疲労になって落ち込むになり、本来の快適性が失ってしまう。
【０００３】
従来の座当の構造は、図５に示すように、硬質底板１０と、発泡樹脂層１１と、表層１２とから構成され、前記硬質底板１０が椅子の上に設置され、発泡樹脂層１１が前記硬質底板１０の上に設置され、布材質又は皮材質で作製された表層１２が全体を被覆する。
【考案の開示】
【考案が解決しようとする課題】
【０００４】
しかしながら、前記発泡樹脂層１１は、長期間に使用されたと、弾性疲労になって落ち込むになり、本来の快適性が失ってしまう。
【課題を解決するための手段】
【０００５】
上記欠点を解決するためになされた本願の考案は、硬質底板と、少なくとも一つの保護用袋と、複数のバネと、発泡樹脂層と、表層とから構成された座当の構造において、前記保護用袋は、バネを収容する袋であり、前記バネによって膨張になり、前記保護用袋とバネとの上には発泡樹脂層が設置してあり、前記保護用袋とバネとの下には硬質底板が設置してあり、全体の周面には表層が被覆してあることを特徴とする座当の構造であることを要旨としている。
【０００６】
本願の考案では、前記発泡樹脂層の底部には、保護用袋とバネとを収容するための収容空間が設けてあることを特徴とする請求項１に記載の座当の構造であることを要旨としている。
【０００７】
本願の考案では、前記保護用袋は、多数の独立な袋から構成され、バネを収容することを特徴とする請求項１に記載の座当の構造であることを要旨としている。
【０００８】
本願の考案では、保護用袋の代わりに、布材質又は皮材質で作製された保護層を直接にバネの上に設けても良いことを特徴とする請求項１に記載の座当の構造であることを要旨としている。
【考案の効果】
【０００９】
本考案に係る座当の構造によれば、次のような効果がある。
（イ）発泡樹脂層がバネに支持され、バネの弾力と耐久性とが発泡樹脂層よりも遥かに優れているので、両者を同時に使用すると、座当は柔軟性を持つと共に耐久性も良くなる。
【００１０】
（ロ）バネが保護用袋に覆われて発泡樹脂層の下に設置されるので、発泡樹脂層はバネに破壊されなくなり、且つ受ける外力は全てのバネに平均に分散する。
【考案を実施するための最良の形態】
【００１１】
以下、添付図面を参照して本考案の好適な実施の形態を詳細に説明する。
【００１２】
まず、図１乃至図３を参照する。本考案に係る座当の構造は、硬質底板２０と、保護用袋３０と、複数のバネ４０と、発泡樹脂層５０と、表層６０とから構成され、前記保護用袋３０は、多数の独立な袋から構成されてもよく、多数の連接された袋から構成されてもよく、バネ４０が保護用袋３０内に設置されることにより保護用袋３０が膨張し、且つ発泡樹脂層５０の底部には収容空間５１が設けてある。
【００１３】
本考案の組合方法は、保護用袋３０内にバネ４０を一つ一つ入れて、発泡樹脂層５０の収容空間５１内にバネ４０が入れられた保護用袋３０を設置して、発泡樹脂層５０の下に硬質底板２０をカバーして、最後に、布材質又は皮材質で作製された表層６０で全体を被覆する。
【図面の簡単な説明】
【００１４】
【図１】本考案の分解斜視図である。
【図２】本考案の組合状態の斜視図である。
【図３】本考案の組合状態の断面図である。
【図４】本考案の使用状態を示す概略図である。
【図５】従来のものの断面図と長時期に使用された後の落ち込んだ状態を示す概略図である。
【符号の説明】
【００１５】
１０      硬質底板                  １１      発泡樹脂層
１２      表層                      ２０      硬質底板
３０      保護用袋                  ４０      バネ
５０      発泡樹脂層                ５１      収容空間
６０      表層
【図１】
0003112874.tif 000003
【図２】
0003112874.tif 000004
【図３】
0003112874.tif 000005
【図４】
0003112874.tif 000006
【図５】
0003112874.tif 000007
(57)【要約】【課題】本考案は回転心棒を強く回転させることにより球形の笛が音を出しながら回転する笛である。ストローに呑口を二本設けることにより相手と同時に呑むことが出来、話題が増え、ドリームが広がる。【解決手段】本考案は回転心棒に付いたキャラクター人形が回転し、笛が鳴る楽しい道具とする。【選択図】  図１
0003112306.tif 000002
【実用新案登録請求の範囲】
【請求項１】
円筒形の握り棒の中に回転心棒を設け、回転心棒の上部に折りたたみ式のハネを設け球形の笛と連結させ、球形を回転させることにより音がなる笛。
【考案の詳細な説明】
【技術分野】
【０００１】  本考案は球形の笛を回転させることにより音を発する笛に関するものである。
【技術背景】
【０００２】  スポーツ観戦等でブーイングを行う際、今までは声で行っていた。
【考案の開示】
【考案が解決しようとする課題】
【０００３】  ブーイングは音で訴えるものであったが、視覚でも訴えることが出来る。
【課題を解決するための手段】
【０００４】  本考案は球形の笛を回転させることにより様々な音を出す。
【考案の効果】
【０００５】  球形の笛が回転し楽しいブーイングが出来る。
【考案を実施するための最良の形態】
【０００６】  円筒形の中に回転心棒を設け、回転心棒の上部にはキャラクター人形等を置く。回転心棒とハネは完全に折りたためる構造にする。球形の笛を回転させることにより、球形の笛に空気が入り音を発する。
【実施例】
【０００７】  以下添付図面に従って実施例を説明する。１の握り棒本体を握り回転させることにより８の空気取入れ口から空気を送ることにより笛が嗚る。使用しない場合は５の折りたたみヒンジで折りたたむことが出来る。
【図面の簡単な説明】
【０００８】
【図１】本考案のブーイングベイビーの正面図である。
【図２】球形の笛本体の断面図である。
【符号の説明】
【０００９】    １  握り棒本体
２  回転心棒
３  飛出し防止リング
４  キャラクター人形
５  折たたみヒンジ
６  ハネ
７  球形の笛本体
８  空気取入れ口
【図１】
0003112306.tif 000003
【図２】
0003112306.tif 000004
(57)【要約】【課題】鳴く虫の飼育用の餌をかびないようにする。【解決手段】黄な粉、フナ粉などに蜂蜜を加えて練り合わせた餌１を厚紙製の餌台２の上に塗りつける。さらにこれを串３にさし飼育カゴの床土４に挿す。【選択図】図１
0003112307.tif 000002
【実用新案登録請求の範囲】
【請求項１】
黄な粉、フナ粉などに蜂蜜を加えて練り合わせた餌１を厚紙製の餌台２の上に塗りつけ、さらにこれを串３にさした鳴く虫の餌台。
【考案の詳細な説明】
【考案の開示】
【考案が解決しようとする課題】
【０００１】従来、鳴く虫（鈴虫、マツムシ、カンタンなど）の飼育用の餌として黄な粉、フナ粉などの配合餌あるいはゼリー状のものは存在していたが、かびやすいという問題があった。
【課題を解決しようとする手段】
【０００２】上記の問題を解決するために、本考案では黄な粉、フナ粉などに蜂蜜を加えて練り合わせたものを厚紙製の餌台の上に塗り付け、さらにその餌台を串にさし、飼育カゴの中の床土に挿せるようにした。
【考案の効果】
【０００３】粉餌を蜂蜜で練ることにより防かび効果が得られ、これを厚紙製の餌台に塗りつけることにより、餌の中の水分が厚紙部に吸収され、蒸発されやすくなるため、常に餌を乾燥状態に保ことができる。さらにその餌台を串にさし、その串を飼育カゴの床土に挿して給餌する方法により床土の湿気が直接餌に及ばないため長い間餌がかびることを防ぐことが出来る。
【０００４】なお、本案の餌台を飼育かごの中に作られた棚などの上に乗せて使うこともできる。
【図面の簡単な説明】
【０００５】
【図１】本考案の実施正面図
【図２】本考案の縦中心線の断面図
【図３】本考案の餌台を棚などにのせて使う場合の斜視図
【符号の説明】
１は餌部
２は厚紙製の餌台
３は串
４は床土
【図１】
0003112307.tif 000003
【図２】
0003112307.tif 000004
【図３】
0003112307.tif 000005
(57)【要約】【課題】  肌触りが良く、力が入りやすく、多数枚削っても疲れにくくなる、スクラッチくじに用いる削り具を提供する。【解決手段】  バンド１の両端部に孔２，３を設ける。孔１２を有する円形の硬貨１１を用意する。孔２，孔１２，孔３がこの順に重なるように、バンド１で円形の硬貨１１を挟む。重なった孔２，孔１２，孔３にリベット２１を通してかしめる。【選択図】  図３
0003112308.tif 000002
【実用新案登録請求の範囲】
【請求項１】
（イ）バンド１の両端部に孔２，３を設ける。
（ロ）孔１２を有する円形の硬貨１１を用意する。
（ハ）孔２，孔１２，孔３が、この順に重なるように、バンド１で円形の硬貨１１を挟む。
（ニ）重なった孔２，孔１２，孔３に、リベット２１を通して、かしめる。
以上のごとく構成された、スクラッチくじに用いる削り具。
【考案の詳細な説明】
【技術分野】
【０００１】  この考案は、スクラッチくじに用いる削り具に関するものである。
【背景技術】
【０００２】  従来のスクラッチくじに用いる削り具は、円形の硬貨（コイン）が主である。
【考案の開示】
【考案が解決しようとする課題】
【０００３】  円形の硬貨（コイン）でスクラッチくじを削る場合、指先で円形の硬貨を挟むわけであるが、円形の硬貨は薄く、かつ、金属のため肌触りが悪いので力が入りにくく、多数枚削ると疲れやすかった。
このため、スクラッチくじに用いる削り具を考案した。
【課題を解決するための手段】
【０００４】（イ）バンド１の両端部に孔２，３を設ける。
（ロ）孔１２を有する円形の硬貨１１を用意する。
（ハ）孔２，孔１２，孔３が、この順に重なるように、バンド１で円形の硬貨１１を挟む。
（ニ）重なった孔２，孔１２，孔３に、リベット２１を通して、かしめる。
以上のごとく構成された、スクラッチくじに用いる削り具。
【考案の効果】
【０００５】  円形の硬貨をバンド１が覆うため、指と硬貨との触れ合う面積が減少し、肌触りが良くなり、厚みも程よく増すため、力が入りやすく、多数枚削っても疲れにくくなる。
【考案を実施するための最良の形態】
【０００６】  図１に示すように、バンド１の両端部に孔２，３を設ける。ここで使用するバンドの材質は、なめし皮、布、厚紙などが使用できるが、なめし皮や布の方が柔らかくて人肌には良い。
孔２，３の位置は、バンド１が円形の硬貨１１を挟んだ場合、バンド１の両端から円形の硬貨１１がはみ出る位置とすることは、本考案の目的からして自明である。【０００７】  図２に示すように、孔１２を有する円形の硬貨１１を用意する。これは、５円硬貨や５０円硬貨が適している。【０００８】  図３に示すように、孔２，孔１２，孔３が、この順に重なるように、バンド１で円形の硬貨１１を挟み、その重なった孔２，孔１２，孔３に、リベット２１を通して、かしめる。
【使用例】
【０００９】  本考案を使用する場合は、指でリベットを挟みながら、円形の硬貨１１の端部角でスクラッチくじを削る。
【図面の簡単な説明】
【００１０】  図１は、バンド１の正面図である。
図２は、孔１２を有する円形の硬貨１１の正面図である。
図３は、バンド１で円形の硬貨１１を挟んだところの平面図である。
図４は、バンド１と円形の硬貨１１をリベットでかしめたところの平面図である。
【符号の説明】
【００２０】  １  バンド
２  孔
３  孔
１１  円形の硬貨
１２  孔
２０  リベット
【図１】
0003112308.tif 000003
【図２】
0003112308.tif 000004
【図３】
0003112308.tif 000005
(57)【要約】【課題】感触が良好で、痔疾への負担が少ないトイレットペーパーを提供する。【解決手段】、同じ大きさの水溶性薄紙２を複数枚重ねて、それぞれの周囲２ａを水溶性接着剤で貼り付けて成る。水溶性薄紙２は、通常のロール状トイレットペーパーと同様の材質から成り、水で紙の繊維がばらばらにほぐれて、生分解されるものである。特に、水溶性薄紙２には、綿または羽毛のような柔らかさと手触りを有するソフトタイプの薄紙２を用いる。水溶性薄紙２の大きさは、好適には２０ｃｍ×２０ｃｍ程度で、失禁用の当て物として利用しやすくなっている。水溶性薄紙２の重ねる枚数は、好適には１０枚である。水溶性接着剤としては、澱粉糊が用いられる。【選択図】図１
0003112345.tif 000002
【実用新案登録請求の範囲】
【請求項１】
同じ大きさの水溶性薄紙を複数枚重ねて、それぞれの周囲を水溶性接着剤で貼り付けて成ることを特徴とするトイレットペーパー。
【考案の詳細な説明】
【技術分野】
【０００１】
本考案は、尿漏れ用のパッドとして利用可能なトイレットペーパーに関する。
【背景技術】
【０００２】
従来、トイレットペーパー、ティッシュペーパー、化粧紙、紙綿等に使用できる衛生用紙がある（例えば、特許文献１参照）。
【０００３】
【特許文献１】特開２００４−１５１４６９号公報
【考案の開示】
【考案が解決しようとする課題】
【０００４】
しかしながら、従来の衛生用紙は、柔らかさに欠けるため、尿漏れ用のパッドとして利用した場合、感触が悪いという課題があり、痔疾患者がトイレットペーパーとして利用した場合には、痔疾を傷付け、悪化させるおそれがあるという課題があった。
【０００５】
本考案は、このような従来の課題に着目してなされたもので、感触が良好で、痔疾への負担が少ないトイレットペーパーを提供することを目的としている。
【課題を解決するための手段】
【０００６】
上記目的を達成するために、本考案に係るトイレットペーパーは、同じ大きさの水溶性薄紙を複数枚重ねて、それぞれの周囲を水溶性接着剤で貼り付けて成ることを特徴とする。
本考案に係るトイレットペーパーは、水溶性薄紙を複数枚重ねてあるため、薄紙の柔らかい感触を保つことができ、感触が良好で、痔疾への負担が少ない。また、複数枚を重ねてあるため、尿などが反対側に浸透しにくい。さらに、周囲が水溶性接着剤で貼り付けてあるため、各薄紙がばらばらにならず、使用しやすい。また、水溶性薄紙から成るため、使用後は、水洗トイレで下水に流すことができる。
【０００７】
なお、水溶性薄紙には、水で紙の繊維がばらばらにほぐれるものでも、水に溶解するものであってもよい。水溶性薄紙の材質は、柔軟性の高いトイレットペーパー用紙が適している。水溶性薄紙の大きさは、２０ｃｍ×２０ｃｍ程度が好ましいが、限定されない。水溶性薄紙の重ねる枚数は、１０枚程度が好ましいが、限定されない。水溶性接着剤としては、澱粉糊またはポリビニルアルコールが適している。
【考案の効果】
【０００８】
本考案に係るトイレットペーパーによれば、感触が良好で、痔疾への負担が少ないトイレットペーパーを提供することができる。
【考案を実施するための最良の形態】
【０００９】
以下、図面に基づき本考案の一実施例を説明する。
図１は、本考案の一実施例を示している。
図１（Ａ），（Ｂ）に示すように、トイレットペーパー１は、同じ大きさの水溶性薄紙２を複数枚重ねて、それぞれの周囲２ａを水溶性接着剤で貼り付けて成る。水溶性薄紙２は、通常のロール状トイレットペーパーと同様の材質から成り、水で紙の繊維がばらばらにほぐれて、生分解されるものである。特に、水溶性薄紙２には、綿または羽毛のような柔らかさと手触りを有するソフトタイプの薄紙を用いる。水溶性薄紙２の大きさは、好適には２０ｃｍ×２０ｃｍ程度で、失禁用の当て物として利用しやすくなっている。水溶性薄紙２の重ねる枚数は、好適には１０枚である。水溶性接着剤としては、澱粉糊が用いられる。水溶性薄紙２は、水溶性接着剤により周囲２ａの５ミリ程度を糊しろとして貼り付けられている。
【００１０】
次に、作用について説明する。
図１（Ａ），（Ｂ）に示すトイレットペーパー１は、水溶性薄紙２を複数枚、好適に１０枚重ねてあるため、薄紙２の柔らかい感触を保つことができ、感触が良好で、痔疾への負担が少ない。また、複数枚、好適に１０枚を重ねてあるため、尿などが反対側に浸透しにくい。さらに、周囲が水溶性接着剤で貼り付けてあるため、各薄紙２がばらばらにならず、使用しやすい。また、水溶性薄紙２から成るため、使用後は、水洗トイレで下水に流すことができる。
【００１１】
なお、トイレットペーパーは、一方の面に撥水剤が塗布されていてもよい。この場合、柔らかい感触を保ちながら、反対側を尿等で濡らさずに使用することができる。
【図面の簡単な説明】
【００１２】
【図１】本考案の実施の態様のトイレットペーパーの（Ａ）正面図、（Ｂ）拡大断面図である。
【符号の説明】
【００１３】
１    トイレットペーパー
２    水溶性薄紙
２ａ  周囲
【図１】
0003112345.tif 000003
(57)【要約】【課題】使い勝手の良い着脱容易な越中褌を提供する。【解決手段】帯１１と、覆い布１２と、１対の面ファスナー１３ａ，１３ｂとから成っている。帯１１は、腰に巻き付けるのに適した長さを有している。覆い布１２は、尻から下腹部を覆うのに適した長さと巾とを有し、帯１１に対しその長さ方向に垂直に伸びるよう縫い付けて取り付けられている。１対の面ファスナー１３ａ，１３ｂは、帯１１の一端の表側および他端の裏側に縫い付けて取り付けられている。【選択図】図１
0003112346.tif 000002
【実用新案登録請求の範囲】
【請求項１】
帯と、
前記帯に対しその長さ方向に垂直に伸びるよう取り付けられた覆い布と、
前記帯の一端の表側および他端の裏側に取り付けられた互いに着脱可能な１対の面ファスナーとを、
有すること特徴とする着脱容易な越中褌。
【考案の詳細な説明】
【技術分野】
【０００１】
本考案は、面ファスナーを利用した着脱容易な越中褌に関する。
【背景技術】
【０００２】
越中褌は、紐に長方形の覆い布の一端を取り付けて成り、風通しが良くて蒸れにくく、健康的であることから未だに愛用者が多い。近年は、クラシックパンツといった名称で、人気を集めている。また、寝たきり老人やアルツハイマー症患者の介護をする場合、越中褌はおむつの交換を容易にするため、便利である。その越中褌を改良して利用しやすくしたものとして、覆い布の後部の端を紐に逢着し、覆い布の前端部分を折り返して縫製することにより紐通し孔を形成し、紐の一端を紐通し孔に通して腰の一側部で結ぶようにしたものがある（例えば、特許文献１参照）。
【０００３】
【特許文献１】実用新案登録第３０１４６５８号公報
【考案の開示】
【考案が解決しようとする課題】
【０００４】
しかしながら、従来の越中褌は、紐を結んで腰に取り付けるため、着脱に手間がかかるという課題があった。特に、寝たきり老人やアルツハイマー症患者に使用した場合、紐をきつく結んでしまったときに解くのは厄介で、介護者の手数が増えるだけでなく、介護を受ける者にも負担がかかるという課題があった。
【０００５】
本考案は、このような従来の課題に着目してなされたもので、使い勝手の良い着脱容易な越中褌を提供することを目的としている。
【課題を解決するための手段】
【０００６】
上記目的を達成するために、本考案に係る着脱容易な越中褌は、帯と、前記帯に対しその長さ方向に垂直に伸びるよう取り付けられた覆い布と、前記帯の一端の表側および他端の裏側に取り付けられた互いに着脱可能な１対の面ファスナーとを、有すること特徴とする。
【０００７】
本考案に係る着脱容易な越中褌は、帯を腰の後ろから前にまわし、覆い布を尻に当てるようにして、帯の一端および他端の面ファスナーを互いに貼り合わせる。そして、覆い布で下腹部を覆うようにしてその端を帯の下から上に通す。こうして、褌を容易に締めることができる。褌を外す場合には、その逆の手順で、覆い布の端を帯の下から抜き、帯の一端および他端の面ファスナーを外せば、容易に外すことができる。本考案に係る着脱容易な越中褌は、帯が面ファスナーで着脱可能なため、紐を結んで取り付ける場合に比べて、着脱が容易である。帯をきつく巻き付けたときでも解くのは簡単で、寝たきり老人やアルツハイマー症患者に使用した場合、介護者の手間を省き、介護を受ける者にも負担をかけずに着脱可能である。
【考案の効果】
【０００８】
本考案によれば、使い勝手の良い着脱容易な越中褌を提供することができる。
【考案を実施するための最良の形態】
【０００９】
以下、図面に基づき本考案の一実施例を説明する。
図１は、本考案の一実施例を示している。
図１（Ａ），（Ｂ）に示すように、着脱容易な越中褌１は、帯１１と、覆い布１２と、１対の面ファスナー（商品名：「マジックテープ」）１３ａ，１３ｂとから成っている。帯１１は、２ｃｍ程度の巾で、腰に巻き付けるのに適した長さを有している。覆い布１２は、木綿から成って、尻から下腹部を覆うのに適した長さと巾とを有している。覆い布１２は、帯１１に対しその長さ方向に垂直に伸びるよう縫い付けて取り付けられている。１対の面ファスナー１３ａ，１３ｂは、帯１１の巾よりやや短い巾の細長い長方形状のシートから成る。各面ファスナー１３ａ，１３ｂは、一方が多数のループを有し、他方が多数のフックを有している。各面ファスナー１３ａ，１３ｂは、帯１１の長さ方向に沿って、帯１１の一端１１ａの表側および他端１１ｂの裏側に縫い付けて取り付けられている。各面ファスナー１３ａ，１３ｂは、さまざまな腰の太さに対応できる長さを有し、腰の太さに合わせて調節して貼り合わせることができる。
【００１０】
次に、作用について説明する。
着脱容易な越中褌１は、帯１１を腰Ａの後ろから前にまわし、覆い布１２を尻に当てるようにして、帯１１の一端１１ａおよび他端１１ｂの面ファスナー１３ａ，１３ｂを互いに貼り合わせる。面ファスナー１３ａ，１３ｂの貼り合わせる位置は、腰の太さに合わせて調節することができる。そして、覆い布１２で下腹部を覆うようにしてその端を帯１１の下から上に通す。こうして、褌を容易に締めることができる。褌を外す場合には、その逆の手順で、覆い布１２の端を帯１１の下から抜き、帯１１の一端および他端の面ファスナー１３ａ，１３ｂを外せば、容易に外すことができる。
【００１１】
着脱容易な越中褌１は、帯１１が面ファスナー１３ａ，１３ｂで着脱可能なため、紐を結んで取り付ける場合に比べて、着脱が容易である。帯１１をきつく巻き付けたときでも解くのは簡単で、寝たきり老人やアルツハイマー症患者に使用した場合、介護者の手間を省き、介護を受ける者にも負担をかけずに着脱可能である。介護に使用する場合には、覆い布１２の内側に排泄物を吸収できるパッドを入れておくことが好ましい。また、帯１１に消臭剤やカイロを収納可能な袋を設けてあってもよい。
【００１２】
着脱容易な越中褌１は、洗濯して繰返し使用可能であるが、使い捨てにしてもよい。使い捨てのものでは、面ファスナーを帯から取外し可能にし、帯と覆い布を通常のトイレットペーパーと同様の水溶性の材質の紙で製造することが好ましい。この場合、帯と覆い布を水洗トイレで下水に流すことができる。なお、水溶性の材質の紙は、水で紙の繊維がばらばらにほぐれて、生分解されるものである。着脱容易な越中褌１は、コンパクトに折り畳むことができ、ポケットなどに入れて携帯可能である。また、安価に製造することができる。
【図面の簡単な説明】
【００１３】
【図１】本考案の実施の態様の着脱容易な越中褌の（Ａ）正面図、（Ｂ）使用状態正面図である。
【符号の説明】
【００１４】
１    着脱容易な越中褌
１１  帯
１１ａ  帯の一端
１１ｂ  帯の他端
１２  覆い布
１３ａ，１３ｂ  面ファスナー
【図１】
0003112346.tif 000003
(57)【要約】【課題】市販の梯子に背もたれを着脱自在に取り付ける。【解決手段】筒状のステップ３の中にねじ棒４を通し、このねじ棒の両端部にそれぞれ取付金具５を串通し、ナット６で締め付ける。取付金具５はコの字形断面に形成し、これで縦フレームを外側から抱持する。取付金具５には円筒状のソケット７を固定する。ガード８は金属帯板をＣ字形に折曲したもので、両端にそれぞれ下向きにピン９を固定してあり、このピンを取付金具のソケット７に挿入する。【選択図】図１
0003112365.tif 000002
【実用新案登録請求の範囲】
【請求項１】
筒状のステップの中に挿通されるねじ棒と、該ねじ棒を通してナットで締め付けられる、梯子の左右縦フレームを抱持する左右一対の取付金具と、該取付金具に固定したソケットに挿入するピンを備えたガードから成る梯子のガード。
【請求項２】
請求項１のガードを備えた梯子。
【考案の詳細な説明】
【技術分野】
【０００１】
本考案は市販の梯子に簡単に取り付けられる安全ガード（背もたれ）に関する。
【背景技術】
【０００２】
梯子から人が落下するのを防止には、高い煙突やマストの梯子に設けられているような背もたれが有効である。しかし、梯子に簡単に着脱できる背もたれがなかった。
【考案の開示】
【考案が解決しようとする課題】
【０００３】
この考案は、市販の梯子に簡単に着脱できる背もたれを提供することを課題とする。
【課題を解決するための手段】
【０００４】
最近市販されている梯子はほとんどが、左右フレームにアルミ製のボックスフレーム、ステップにはアルミ製のパイプ状の部材を用いており、ステップはフレームを貫通するように取り付けられている。この考案では、このパイプ状のステップの中にねじ棒を通し、このねじの突出部に左右フレームを抱持する左右一対の取付金具を固定する。取付金具にはソケットを固定してあり、ガードにはソケットに嵌入するピンを固定しておく。使用するときは、予め梯子に取り付けておいた取付金具のソケットにピンを挿入してガード（背もたれ）を取り付ける。
【０００５】
この考案は、ステップが筒状でその中にボルトを通すことができれば、どんな梯子にも安全ガードが取り付け可能であり、人の落下事故を防ぐのに効果がある。また、構造が簡単であり安価に提供することができる。
【考案を実施するための最良の形態】
【０００６】
図１および図２に示すように、符号１は市販のアルミ製梯子であり、左右の縦フレーム２はボックス断面、ステップ３は略半円形断面の筒状部材でそれぞれ構成されており、ステップ３は縦フレーム２を貫通するように取り付けられている。このステップ３の中にねじ棒４を通し、このねじ棒の両端部にそれぞれ取付金具５を串通し、ナット６で締め付ける。取付金具５は金属板をコの字形断面に折曲したもので、これで縦フレームを外側から抱持する。取付金具５には円筒状のソケット７が垂直に固定してある。ガード８は金属帯板をＣ字形に折曲したもので、人がその中を通り抜けられるような大きさにする。ガード８の両端にそれぞれ下向きにピン９を固定してあり、このピンを取付金具のソケット７に挿入することにより、ガード８を梯子１に直角に支持することができる。保管時や不用のとき、ピン９をソケットから抜くことでガード８は簡単に取り外すことができる。
【０００７】
このように梯子に取り付けたガード８は、その中を通って梯子を登り下りする人が誤って梯子から手を離した場合に、身体を支えて落下を防ぐことができる。ガードは、図３に示すように、梯子の下部は除いて、ステップ一段置きに取り付けば十分である。
【０００８】
このようにガードを取り付けた梯子は、様々な使い方ができ、例えば、壁等に斜めに立て掛けて使用してもよい。また、建築や土木工事現場等で、梯子を垂直に固定して使用してもよい。この場合は図３の側面図に示すように、構造物１０に取付金具５を溶接止めすることができる。
【図面の簡単な説明】
【０００９】
【図１】梯子の要部斜視図である。
【図２】梯子の水平断面図である。
【図３】梯子の全体図であり、左半分は正面、右半分は側面である。
【符号の説明】
【００１０】
１    梯子
２    縦フレーム
３    ステップ
４    ねじ棒
５    取付金具
６    ナット
７    ソケット
８    ガード
９    ピン
【図１】
0003112365.tif 000003
【図２】
0003112365.tif 000004
【図３】
0003112365.tif 000005
(57)【要約】【課題】  いままでに全く無かった味覚および食感を感じさせることができ、新鮮な、あるいは新しい食べ物と感じさせることができるあんぱんを提供する。【解決手段】  小豆等から製造した餡２の外側をお餅３で被覆して大福４を製造し、この大福４の外側をこね上げたブリオッシュ生地等からなるパン生地で被覆し、所定時間発酵させた後に、所定の温度で所定時間焼き上げ、焼き上げたブリオッシュ５の上部に切り込み６を入れてへそを形成した。【選択図】  図１
0003112360.tif 000002
【実用新案登録請求の範囲】
【請求項１】
餡の外側をお餅で被覆して大福を製造し、この大福の外側をこね上げたパン生地で被覆して所定の温度で焼き上げたことを特徴とするあんぱん。
【請求項２】
前記餡は小豆から形成されている請求項１記載のあんぱん。
【請求項３】
前記大福の外側を被覆したパン生地はブリオッシュ生地である請求項１記載のあんぱん。
【請求項４】
餡の外側をお餅で被覆して大福を製造し、この大福の外側をこね上げたブリオッシュ生地であるパン生地で被覆して所定の温度で焼き上げたことを特徴とするあんぱん。
【請求項５】
小豆から製造した餡の外側をお餅で被覆して大福を製造し、この大福の外側をこね上げたブリオッシュ生地からなるパン生地で被覆して焼き上げ、焼き上げたブリオッシュの上部に切り込みを入れてへそを形成したことを特徴とするあんぱん。
【考案の詳細な説明】
【技術分野】
【０００１】
この考案はあんぱんに関し、特に、内部に大福を設けたあんぱんに関するものである。
【背景技術】
【０００２】
一般に知られているあんぱんにあっては、例えば、特許文献１に示すように、内部に餡を配設し、その外側を、普通のパン生地層、カステラ様生地層、あるいはパネトーネサワードウ層等のこね上げたパン生地層で丸く被覆し、発酵させたのちに焼き上げて製造している。
【０００３】
上記のように構成されているあんぱんにあっては、どのような生地を使用した場合であっても、餡の外側を直接にパン生地で被覆しているので、多少の生地の味や食感の差があったとしても餡の外側を被覆している生地の食感や味の差だけであり、食べた人にとってことさら新しい、あるいは新鮮なものと感じることができないものであった。
【特許文献１】特開平５−３０８９２号公報
【０００４】
この考案は前記のような一般的なあんぱんと全く異なる食感や味をかもしだして、食べた人に新鮮な、あるいは新しい食べ物と感じさせることができるあんぱんを提供することを目的とする。
【考案の開示】
【考案が解決しようとする課題】
【０００５】
この考案は、一般的なあんぱんと異なって、餡の外側をお餅で被覆して大福を形成し、この大福の外側をこね上げたパン生地で被覆したのちに焼き上げてパンの内部に大福を位置させる。したがって、食べた人はまずパンの食感および味を得たのちに大福の食感および味を得る事になる。しかも、口の内にはパンとお餅と餡とが一体となった食感および味を感じることができる。これにより、外観は一般的なあんぱんと全く同様であるが、食べた時には全く異なった食感および味を有するあんぱんとすることができる。
【課題を解決するための手段】
【０００６】
この考案は、餡の外側をお餅で被覆して大福を製造し、この大福の外側をこね上げたパン生地で被覆して所定の温度で焼き上げたことを特徴とし、前記餡は小豆から形成したり、前記大福の外側を被覆したパン生地はブリオッシュ生地から形成したりする。
また、この考案は、餡の外側をお餅で被覆して大福を製造し、この大福の外側をこね上げたブリオッシュ生地であるパン生地で被覆して所定の温度で焼き上げた手段を採用したものである。
さらに、この考案は、小豆から製造した餡の外側をお餅で被覆して大福を製造し、この大福の外側をこね上げたパン生地であるブリオッシュ生地で被覆して所定の温度で焼き上げ、焼き上げたブリオッシュの上部に切り込みを入れてへそを形成した手段を採用したものである。
【考案の効果】
【０００７】
この考案のあんぱんにあっては、パン、例えばブリオッシュの内部に、お餅、さらにこのお餅の内部に餡を位置させて、ブリオッシュの内部に大福を位置させたあんぱんとすることができ、食べた時にはブリオッシュと、お餅および餡からなる大福とが口の中に位置する。したがって、食べた人はブリオッシュ、お餅、および餡との味を感じるとともに、それらの食感および味覚を一体に感じることとなる。
これにより、食べた人にいままで全く感じたことのない味覚および食感を感じさせることができ、新鮮な、あるいは新しい食べ物と感じさせることができることになる。
また、ブリオッシュはパリジェンヌにもこよなく愛されており、焼き上げたブリオッシュの上部に切り込みを入れてへそを形成することでパリを意味するようにした。
【考案を実施するための最良の形態】
【０００８】
食べた人に全く新鮮な、あるいは新しいあんぱんと感じさせるために、餡の外側をお餅で被覆して大福を形成し、この大福の外側をこね上げたブリオッシュ等のパン生地で被覆したのちに所定の温度で焼き上げて、内部に大福が設けられたあんぱんを製造することで達成することができた。
さらに、パリジェンヌもこよなく愛しているブリオッシュの上部に切り込みを入れることでへそを形成してパリを意味するようにした。
【実施例】
【０００９】
以下、図面に示すこの考案の実施例について説明する。
図１にはこの考案によるあんぱんの断面図が示されており、１はこの考案によるあんぱんである。
この考案によるあんぱん１は、まず餡２の外側をお餅３で被覆して大福４を製造する。そして、この大福４の外側をパン生地であるブリオッシュ生地で覆い、所定時間発酵させたのちに、所定の温度で所定の時間焼き上げてブリオッシュ５を焼き上げる。
この状態で内部に大福４が設けられたブリオッシュ５が形成される。さらにこの後に、ブリオッシュ５の上部に一文字状の切り込み６を入れてへそを形成し、これによりあんぱんを製造する。
なお、７は製造時に出来る空所である。
【００１０】
上記のようにして製造したあんぱん１にあっては、食べた時は、ブリオッシュ５と、お餅３と、餡２とが一緒に口の中に運ばれ、それらが一体となって、食べた人にいままで全く感じたことのない味覚および食感を感じさせることができ、新鮮な、あるいは新しい食べ物と感じさせることができることになる。
【図面の簡単な説明】
【００１１】
【図１】この考案によるあんぱんを示す概略断面図である。
【符号の説明】
【００１２】
１    あんぱん
２    餡
３    お餅
４    大福
５    ブリオッシュ
６    切り込み
７    空所
【図１】
0003112360.tif 000003
(57)【要約】【課題】香典返し、引出物等の返礼品を収納して参列者等に手渡すという役割を果たすだけでなく、更に進んで、冠婚葬祭における故人又は当事者からのメッセージを表示する手段をも備えた冠婚葬祭用包装用箱を提供する。【解決手段】引出物、香典返し等の返礼品３を収納する冠婚葬祭用包装用箱１において、当該冠婚葬祭における故人又は当事者からのメッセージ７を表示する表示体５を外面又は内部に備えていることを特徴とする冠婚葬祭用包装用箱。このメッセージ７は、葬式又は法事において、故人が生前に用意し若しくは故人の家族、友人等が用意したもの、或いは、結婚式において、新郎・新婦が予め用意したものである。【選択図】図１
0003112355.tif 000002
【実用新案登録請求の範囲】
【請求項１】
香典返し、引出物等の返礼品を収納する冠婚葬祭用包装用箱において、
当該冠婚葬祭における故人又は当事者からのメッセージを表示する表示体を外面又は内部に備えていることを特徴とする冠婚葬祭用包装用箱。
【考案の詳細な説明】
【技術分野】
【０００１】
本考案は、冠婚葬祭用包装用箱に関するものであり、例えば葬式、法事、結婚式等の冠婚葬祭において、香典返し、引出物等の返礼品を収納した状態で参列者、出席者等に手渡すようにした冠婚葬祭用包装用箱に係るものである。
【背景技術】
【０００２】
冠婚葬祭用包装用箱としては、例えば意匠登録第９９２７９８号公報に示す如きもの（以下「従来の冠婚葬祭用包装用箱」という。）がしばしば使用されている。
【０００３】
従来の冠婚葬祭用包装用箱は、茶葉の小袋の如き香典返し等の返礼品を収納する薄い直方体状の紙箱であって、専ら葬式、法事等の際に使用されている。
【特許文献１】意匠登録第９９２７９８号公報
【考案の開示】
【考案が解決しようとする課題】
【０００４】
上記従来の冠婚葬祭用包装用箱は、香典返し等の返礼品を収納して参列者等に手渡すという目的は十分に達成し得るものであるが、本考案は、更に進んで、冠婚葬祭における故人又は当事者からのメッセージを表示する手段をも備えた冠婚葬祭用包装用箱を提供しようとしてなされたものである。
【課題を解決するための手段】
【０００５】
上記課題を解決するために、本考案は、下記の冠婚葬祭用包装用箱を提供する。
【０００６】
香典返し、引出物等の返礼品を収納する冠婚葬祭用包装用箱において、
当該冠婚葬祭における故人又は当事者からのメッセージを表示する表示体を外面又は内部に備えていることを特徴とする冠婚葬祭用包装用箱。
【０００７】
本考案において、「故人」とは葬式又は法事において祭られる者をいい、「当事者」とは結婚式における新郎・新婦をいうものとする。
【考案の効果】
【０００８】
本考案によれば、葬式又は法事において、故人が生前に用意し又は故人の家族、友人等が用意したメッセージを故人からのメッセージとして表示する表示体を冠婚葬祭用包装用箱に備えさせ、或いは、結婚式において、新郎・新婦が予め用意したメッセージを表示する表示体を冠婚葬祭用包装用箱に備えさえることができる。故人の家族、友人等が用意したメッセージは、故人が参列者等に伝えたかったであろうと思われる事柄を故人の家族、友人等が推測して故人のために表示体に表示するものである。新郎・新婦が予め用意したメッセージは、新郎・新婦が結婚式、披露宴の参列者等に伝えたい事柄を表示体に表示するものである。
【０００９】
冠婚葬祭の参列者は、冠婚葬祭用包装用箱を受け取ったとき、又は、これを持ち帰って開封したときに、故人又は当事者からのメッセージ表示した表示体に接することができるのである。
【００１０】
従って、口頭では表現し難いような故人、故人の家族、友人、或いは、新郎・新婦の思いが確実に冠婚葬祭の参列者に伝わるのである。
【考案を実施するための最良の形態】
【００１１】
本考案による冠婚葬祭用包装用箱１は、香典返し、引出物等の返礼品３を収納するものである点においては、上記従来の冠婚葬祭用包装用箱と同じである。
【００１２】
冠婚葬祭用包装用箱１は、一例として直方体状の紙箱とする。
【００１３】
冠婚葬祭用包装用箱１に収納される返礼品３は如何なるものでもよいが、例えば、茶葉、石鹸、菓子、タオル、シーツ、毛布、ハンカチ等が好ましく使用される。
【００１４】
しかして、本考案における冠婚葬祭用包装用箱１は、当該冠婚葬祭における故人又は当事者からのメッセージ７を表示する表示体５を該冠婚葬祭用包装用箱１の外面又は内部に備えている。
【００１５】
図１、図２に示す冠婚葬祭用包装用箱１ａは、表示体５を該冠婚葬祭用包装用箱１ａの内部に備えている。この表示体５は、一例として、葉書状の紙片に当該冠婚葬祭における故人又は当事者からのメッセージ７を手書き、印刷等により表示してなるものである。
【００１６】
図３に示す冠婚葬祭用包装用箱１ｂは、表示体５を該冠婚葬祭用包装用箱１ｂの外面に備えている。即ち、表示体５は、冠婚葬祭用包装用箱１ｂの外面に形成された切込み９に抜き取り自在に差し込まれている。
【００１７】
図４〜図７は、冠婚葬祭用包装用箱１ｂの一例を表示体を除去して示す。
【００１８】
表示体５に表示される当該冠婚葬祭における故人又は当事者からのメッセージ７は、例えば次のようなものである。
【００１９】
故人からのメッセージ７の一例
「カテキン石鹸には、『流し清める力』があります。
泡をしっかりたてます。その泡に悲しみがつつみこまれていきます。
不運なこと、いやなこと、すべてあらいながされていきます。
悲しみを流し、こころを清め、そして最後に身体を・・・
あの世とこの世のお別れの場。
良い思いだけが心に残るそんな時間のために。
あなたと知り合えたこととても感謝しあなたの幸せをいのりつつ、
心から、ありがとうそして、さようなら
山田  太郎」
【００２０】
新郎・新婦からのメッセージ７の一例
「本日は私たちのために、ご出席いただきまして本当にありがとうございました。
温かいお祝いのお言葉や励ましを二人の胸に刻み、新生活の道しるべにしていきたいと思います。新居にも是非遊びに来てください。
静岡県浜松市・：・・
電話番号（１２３）４５６−７８９０
山田  太郎・花子」
【図面の簡単な説明】
【００２１】
【図１】本考案による冠婚葬祭用包装用箱の一例を示す斜視図である。
【図２】同上冠婚葬祭用包装用箱の断面図である。
【図３】本考案による冠婚葬祭用包装用箱の別の一例を示す斜視図である。
【図４】表示体を除去した状態の同上冠婚葬祭用包装用箱を示す展開図である。
【図５】同上冠婚葬祭用包装用箱の平面図である。
【図６】図５のＶＩ−ＶＩにおける断面図である。
【図７】図５のＶＩＩ−ＶＩＩにおける断面図である。
【符号の説明】
【００２２】
１  冠婚葬祭用包装用箱
１ａ  冠婚葬祭用包装用箱
１ｂ  冠婚葬祭用包装用箱
３  返礼品
５  表示体
７  メッセージ
９  切込み
【図１】
0003112355.tif 000003
【図２】
0003112355.tif 000004
【図３】
0003112355.tif 000005
【図４】
0003112355.tif 000006
【図５】
0003112355.tif 000007
【図６】
0003112355.tif 000008
【図７】
0003112355.tif 000009
(57)【要約】 【課題】  岩海苔を使用して、岩海苔風味を充分に発揮できる新規な（冷凍）食品を提供する。【解決手段】  乾燥岩海苔を水で戻して細分した細分岩海苔と、適宜量の粉海苔と、小麦粉と水を一緒に混合攪拌して形成された岩海苔含有層２が、板海苔ベース１上に扁平形状に形成され、そのまま冷凍されているか、又は全体が油揚げ処理されて冷凍されている食品。【選択図】  図１
0003112354.tif 000002
【実用新案登録請求の範囲】
【請求項１】
乾燥岩海苔を水で戻して細分した細分岩海苔と、適宜量の粉海苔と、小麦粉と水を一緒に混合攪拌して形成された岩海苔含有層が、板海苔ベース上に扁平形状に形成され、冷凍されていることを特徴とする食品。
【請求項２】
乾燥岩海苔を水で戻して細分した細分岩海苔と、適宜量の粉海苔と、小麦粉と水を一緒に混合攪拌して形成された岩海苔含有層が、板海苔ベース上に扁平形状に形成され、全体が油揚げ処理されており、且つ冷凍されていることを特徴とする食品。
【請求項３】
岩海苔含有層が、乾燥岩海苔１００ｇに対して、粉海苔を１０〜５０ｇ、小麦粉を１〜３ｋｇ、小麦粉１ｋｇ当たり１０００〜２０００ｃｃの水で形成してなる請求項１又は２記載の食品。
【請求項４】
乾燥岩海苔１００ｇに対して約３０ｇ程度の刻み海苔を岩海苔含有層に混入してなる請求項１乃至３記載の食品。
【請求項５】
岩海苔含有層が、乾燥岩海苔１００ｇに対して、粉海苔を約３０ｇ程度、小麦粉を約２ｋｇ程度、水約３０００ｃｃ程度で岩海苔含有層を形成すると共に、八切りの大きさの板海苔ベースに、約３０ｇの岩海苔含有層を盛り付けてなる請求項１乃至４記載の何れかの食品。
【考案の詳細な説明】
【技術分野】
【０００１】
本考案は、岩海苔を板海苔と組み合わせた食品に関するものである。
【背景技術】
【０００２】
岩海苔の加工食品としては、乾燥のりとして流通し、各種食品の添加物（例えばラーメンのトッピング食材：特開２００３−３８１３３号公報参照）として利用されているに過ぎなく、また周知の通り観光土産品として佃煮に加工されている。
【０００３】
また養殖海苔（あまのり）は、板海苔として加工されるほか、板海苔をベースとした各種の加工食品が提案されている。例えば実開平２−１０２９９０号公報（特許文献１）には、シート状食品（削り節シート、乾燥わかめシート、魚肉すり身で形成したシート等）を糊材で接着して板海苔を重ね合わせた食品が開示されている。
【０００４】
また実開平３−１０２８８６号公報（特許文献２）には、板海苔の表面または表裏両面に接着層を介して種々の食品を付着させてなる食品が開示されている。
【０００５】
更に実開平５−８８２８９号公報（特許文献３）には、海苔シートに乾燥食品を接着固定した食品が開示されている。
【０００６】
【特許文献１】実開平２−１０２９９０号公報。
【特許文献２】実開平３−１０２８８６号公報。
【特許文献３】実開平５−８８２８９号公報。
【考案の開示】
【考案が解決しようとする課題】
【０００７】
岩海苔を使用した加工食品を形成しようとする場合には、岩海苔を養殖海苔のようにシート状に形成して養殖海苔に替えることは周知の手段（特開平１１−２７６１２２号公報）であるが、岩海苔は硬く風味が強いのでシート状に大量生産するには不適当である。
【０００８】
また養殖海苔のシート（板海苔）に各種食品を組み合わせることが種々提案されているが、全て単に張り合わせを行った食品に過ぎず、目新しさが無く購買者の興味を引く食品とはいえない。
【０００９】
そこで本考案は、岩海苔の風味を強調できる新規な食品を提案したものである。
【課題を解決するための手段】
【００１０】
本考案に係る食品は、乾燥岩海苔を水で戻して細分した細分岩海苔と、適宜量の粉海苔と、小麦粉と水を一緒に混合攪拌して形成された岩海苔含有層が、板海苔ベース上に扁平形状に形成され、そのまま冷凍されているか、又は全体が油揚げ処理されて冷凍されていることを特徴とするものである。
【考案の効果】
【００１１】
本考案の食品は上記の通りであるから、非油揚げ食品は、解凍し油揚げ調理をして可食状態とし、油揚げ処理済みのものは解凍し適宜な加熱処理を施して可食状態として、食に供するもので、岩海苔を含むことで風味豊かな食品を提供できたと共に、珍味ともいえる岩海苔を使用した食品として商品アピールが可能な食品となったものである。
【考案を実施するための最良の形態】
【００１２】
次に本考案の実施形態について説明する。実施形態に示した食品は、海苔ベース１の上に岩海苔含有層２が、扁平に盛り付けて積層し、これをそのまま冷凍したり、或いは油揚げ処理して冷凍したものである。
【００１３】
岩海苔含有層２は、乾燥岩海苔を水で戻して細分した細分岩海苔と、適宜量の粉海苔と、小麦粉と水を一緒に混合攪拌して形成したもので、その詳細を製造手順に沿って以下に説明する。尚配合比率については、乾燥岩海苔１００ｇを基準とする。
【００１４】
乾燥岩海苔１００ｇを水に３０分以上浸して戻し、同時に細かく千切る。これは海苔の茎部分が長く残らないようにするために千切るものである。
【００１５】
次に前記の細分岩海苔と、粉海苔（所謂粉末状の青海苔）１０〜５０ｇ（好ましくは約３０ｇ程度）、刻み海苔３０ｇ程度（好みによる）、小麦粉１〜３ｋｇ（好ましくは２ｋｇ）を、小麦粉１ｋｇ当たり１０００〜２０００ｃｃ（好ましくは１５００ｃｃで本実施の場合には３０００ｃｃ）の水と一緒に混合攪拌する。
【００１６】
前記の混合物を、八つ切りの板海苔からなるベース２の上面に薄く（３〜５ｍｍ厚）扁平状に塗布し、全体が形良くなるように成形する。
【００１７】
前記の成形体はそのまま冷凍して、適宜な包装を施して半加工冷凍食品として流通させるもので、解凍し油揚げ調理をして可食状態とし食に供するものであり、また前記成形体を油揚げ処理した後に冷凍して流通させても良い。この場合には、解凍してそのまま食することもできるが、焙焼等の加熱調理を施して食するようにしても良い。
【００１８】
前記の本考案の食品は、岩海苔含有層２に、相応の岩海苔を使用すると共に、粉海苔も適宜量添加し、更に板海苔を使用することで、海苔風味が豊かな新規な食品とすることができたものである。
【図面の簡単な説明】
【００１９】
【図１】本考案の実施例の全体斜視図。
【図２】同製造工程の説明図。
【符号の説明】
【００２０】
１    海苔ベース
２    岩海苔含有層
【図１】
0003112354.tif 000003
【図２】
0003112354.tif 000004